(57)【要約】【課題】  従来の電気炉は、発熱体を炉壁内面に一定間隔離間して固定した軸方向に延びる複数の支持体に設けた貫通穴により支持していたので、放熱ロスが大きいという欠点があった。【解決手段】  本発明の電気炉は、炉壁と、この炉壁内にその軸方向両端部を夫々埋め込み中央部を炉壁内面から突出せしめた、ジグザグ状や波状に上下に連続して折り曲げられた線状体と、上記線状体の上記突出部分内に挿入せしめた発熱体とよりなることを特徴とする。上記線状体は複数の貫通穴を有する板により形成されている。【選択図】  図３
2005226895.tif 000002
【特許請求の範囲】
【請求項１】
炉壁と、この炉壁内にその軸方向両端部を夫々埋め込み中央部を炉壁内面から突出せしめた、ジグザグ状や波状に上下に連続して折り曲げられた線状体と、上記線状体の上記突出部分内に挿入せしめた発熱体とよりなることを特徴とする電気炉。
【請求項２】
上記線状体が複数の貫通穴を有する板により形成されていることを特徴とする請求項１記載の電気炉。
【発明の詳細な説明】
【技術分野】
【０００１】
本発明は電気炉、特に、安価で確実に発熱体を支持し、発熱ロスを少なくできる電気炉に関するものである。
【背景技術】
【０００２】
従来、電気炉用発熱体の支持構造としては特許文献１のものが知られている。
【特許文献１】特開平７−１８３２３８号（図１）
【０００３】
図９及び図１０はこのような従来の電気炉を示し、１は電気炉の筒状のセラミックファイバー等より成る断熱炉壁、２は上記断熱炉壁１の内周面に沿って螺旋状に巻回配置した抵抗発熱体、３は上記断熱炉壁１の内面にその円周方向に一定間隔離間して固定した複数の抵抗発熱体支持体、４は上記支持体３に設けた、上記抵抗発熱体２を貫通支持せしめる孔である。上記支持体３は図１０に示すように、水平断面が台形状でありその炉心側が先細りとなるように構成されている。
【０００４】
上記従来の電気炉においては、上記支持体３が台形状であるから、水平断面が矩形状の支持体に比べて、上記支持体３の孔４と上記抵抗発熱体２との接触面積を少なくし抵抗発熱体２の露出面積を広げることができるので、熱放射量を上げることができるとともに、支持体３は小さく支持体３の蓄熱量を低減することができる。
【発明の開示】
【発明が解決しようとする課題】
【０００５】
然しながら、上記電気炉においてもなお放熱ロスを少なくするには不十分であった。
【０００６】
本発明は上記の欠点を除くようにしたものである。
【課題を解決するための手段】
【０００７】
本発明の電気炉は、炉壁と、この炉壁内にその軸方向両端部を夫々埋め込み中央部を炉壁内面から突出せしめた、ジグザグ状や波状に上下に連続して折り曲げられた線状体と、上記線状体の上記突出部分内に挿入せしめた発熱体とよりなることを特徴とする。
【０００８】
また、本発明の電気炉における上記線状体は、複数の貫通穴を有する板により形成されていることを特徴とする。
【発明の効果】
【０００９】
本発明の電気炉によれば、安価・確実・簡便に発熱体を支持できる。また、発熱体を線状体により支持するので接触面積を少なくでき、熱放散がよく発熱体の部分過熱を防止することができ、長寿命とすることができるという大きな利益がある。
【発明を実施するための最良の形態】
【００１０】
以下図面によって本発明の実施例を説明する。
【実施例１】
【００１１】
本発明においては、図１に示すように１本の直線状の耐熱線を折り曲げて、一平面上で同じピッチで同じ高さ（振幅）のジグザグ状や波状に上下した耐熱線５を形成せしめ、この波状の耐熱線５の軸方向中央部６を除く上下波高部７，７を上記平面に略直交する一方向に折り曲げ、必要に応じてその夫々の端部を上記平面と平行な面内で更に上下に直角に折り曲げ、その側面が図２に示すように略台形状となるようにし、上記波高部７の少なくとも一部を断熱炉壁１内に埋め込み、中央部６を上記断熱炉壁１内面から炉心側に突出されるようにし、図３及び図４に示すように、略台形状に折り曲げられてできた空間８内に電気抵抗発熱体２を挿入し、上記電気抵抗発熱体２を上記耐熱線５により支持せしめる。
【００１２】
本発明のこの実施例によれば、安価・確実・簡便に発熱体を支持でき、また、電気抵抗発熱体２は耐熱線５によって支持されるので接触面積を少なくでき、熱放散がよく抵抗発熱体２の部分過熱を防止することができ、長寿命とすることができる。
【００１３】
また、耐熱線５の線径、耐熱線の波の形状、ピッチ、振幅を適宜変えることにより好ましい大きさ、形状の電気抵抗発熱体２の支持が可能で、熱効率を向上せしめることができる。
【００１４】
なお、上記軸方向中央部６を折り曲げる山の形状を台形とする他、電気抵抗発熱体２を適切に支持するために矩形等の四辺形、三角形、円形、楕円形としてもよい。
【００１５】
また、上記電気抵抗発熱体２を長期に亘って安定して確実に支持するために上記耐熱線５の上記断熱炉壁１に埋め込む面積、形状を変えてもよく、上記波状の耐熱線５を上記断熱炉壁１内にその略台形状部分の略１／２以上埋め込むのが好ましい。
【実施例２】
【００１６】
本発明の第２の実施例においては図５に示すように、１枚の矩形状の耐熱板に長手方向に一定の距離離間して複数の矩形状の穴９を打ち抜いて、上記穴９と穴９に挟まれた短柵状部分１３を複数有する穴空き矩形板１０を形成せしめ、上記穴空き矩形板１０の軸方向中央部１１を除く上方部分と下方部分を上記耐熱板の面に略直交する一方向に折り曲げ、更にその夫々の端部１２を上記面と平行な面内で上下に直角に折り曲げ、その側面が図６に示すように略台形状となるようにし、上記上下部分の少なくとも一部を断熱炉壁１内に埋め込み、上記台形状部を上記断熱炉壁１内面から炉心側に突出されるようにし、図７及び図８に示すように、台形状に折り曲げられてできた空間１４内に電気抵抗発熱体２を挿入し、上記電気抵抗発熱体２を上記耐熱線５により支持せしめる。
【００１７】
本発明のこの実施例においても、安価・確実・簡便に発熱体を支持でき、また、電気抵抗発熱体２は矩形板１０の短柵状部分１３によって支持されるので接触面積を少なくでき、熱放散がよく抵抗発熱体２の部分過熱を防止することができ、長寿命とすることができる。
【００１８】
また、上記短柵状部分１３の幅、形状、ピッチを適宜変えることにより適切な電気抵抗発熱体２の支持が可能で、熱効率を向上せしめることができる。
【００１９】
なお、上記軸方向中央部１１を折り曲げる山の形状を台形とする他、電気抵抗発熱体２を適切に支持するために矩形等の四辺形、三角形、円形、楕円形としてもよい。
【００２０】
また、上記電気抵抗発熱体２を長期に亘って安定して確実に支持するために上記矩形板１０の上記断熱炉壁１に埋め込む面積、形状を変えてもよく、上記矩形板１０を上記断熱炉壁１内にその矩形板１０の略台形部分の略１／２以上埋め込むのが好ましい。
【図面の簡単な説明】
【００２１】
【図１】本発明の電気炉に用いる発熱体支持用の耐熱線の説明用平面図である。
【図２】図１に示す耐熱線の斜視図である。
【図３】図１に示す耐熱線と発熱線の斜視図である。
【図４】図３に示す耐熱線と発熱体の拡大縦断側面図である。
【図５】本発明の電気炉の他の実施例に用いる発熱体支持用の矩形板の説明用平面図である。
【図６】図５に示す矩形板の斜視図である。
【図７】図５に示す矩形板と発熱体の斜視図である。
【図８】図７に示す矩形板と発熱体の拡大縦断側面図である。
【図９】従来の電気炉の一部を断面とした斜視図である。
【図１０】従来の電気炉の要部の斜視図である。
【符号の説明】
【００２２】
１  断熱炉壁
２  抵抗発熱体
３  抵抗発熱体支持体
４  孔
５  耐熱線
６  軸方向中央部
７  波高部
８  空間
９  穴
１０  矩形板
１１  軸方向中央部
１２  端部
１３  短柵状部分
１４  空間
【図１】
2005226895.tif 000003
【図２】
2005226895.tif 000004
【図３】
2005226895.tif 000005
【図４】
2005226895.tif 000006
【図５】
2005226895.tif 000007
【図６】
2005226895.tif 000008
【図７】
2005226895.tif 000009
【図８】
2005226895.tif 000010
【図９】
2005226895.tif 000011
【図１０】
2005226895.tif 000012